(57)【要約】【課題】  放送時刻が異なっても、複数のテレビ受信機で同時視聴できるようにする。【解決手段】  テレビ受信機であって、放送波を受信する放送波受信手段と、受信可能な放送に関する第１の番組情報をもとに受信される番組と、前記第１の番組情報とは異なる第２の番組情報をもとに受信される番組と、のうち共通の番組であって、前記第１の番組情報における前記共通の番組の放送時刻が前記第２の番組情報における前記共通の番組の放送時刻より早い番組を特定する情報を取得する取得手段と、前記情報により特定された番組を録画制御する録画制御手段と、を有することを特徴とするテレビ受信機。【選択図】  図３
2005204285.tif 000002
【特許請求の範囲】
【請求項１】
テレビ受信機であって、
放送波を受信する放送波受信手段と、
受信可能な放送に関する第１の番組情報をもとに受信される番組と、前記第１の番組情報とは異なる第２の番組情報をもとに受信される番組と、のうち共通の番組であって、前記第１の番組情報における前記共通の番組の放送時刻が前記第２の番組情報における前記共通の番組の放送時刻より早い番組を特定する情報を取得する取得手段と、
前記情報により特定された番組を録画制御する録画制御手段と、
を有することを特徴とするテレビ受信機。
【請求項２】
前記第１の番組情報は、前記放送波で搬送されることを特徴とする請求項１に記載のテレビ受信機。
【請求項３】
更に、ネットワークを介して他のテレビ受信機と通信する通信手段を具備し、前記第２の番組情報は、前記他のテレビ受信機から受信されることを特徴とする請求項１または２に記載のテレビ受信機。
【請求項４】
更に、ネットワークを介して番組情報提供装置と通信する通信手段を具備し、前記第２の番組情報は、他のテレビ受信機が受信する放送の対象地域指定情報に従い、前記番組情報提供装置から受信されることを特徴とする請求項１または２に記載のテレビ受信機。
【請求項５】
前記取得手段は、ネットワークを介して番組情報検出装置と通信する通信手段を具備し、前記第１の番組情報における前記共通の番組の放送時刻が前記第２の番組情報における前記共通の番組の放送時刻より早い番組を特定する情報を、前記番組情報検出装置から取得することを特徴とする請求項１に記載のテレビ受信機。
【請求項６】
前記取得手段は、前記第１の番組情報における前記共通の番組の放送時刻が前記第２の番組情報における前記共通の番組の放送時刻より早い番組を前記テレビ受信機が検出し、該検出された番組を特定する情報を取得することを特徴とする請求項１乃至４のいずれか１項に記載のテレビ受信機。
【請求項７】
前記録画制御手段は、前記情報により特定された番組の録画開始を決定するユーザーの動作に応答して、前記情報により特定された番組の録画を制御することを特徴とする請求項１乃至６のいずれか１項に記載のテレビ受信機。
【請求項８】
前記録画制御手段は、録画した前記番組を、前記第２の番組情報における前記共通の番組の放送時刻が到来する以前に再生することを制限することを特徴とする請求項１乃至７のいずれか１項に記載のテレビ受信機。
【請求項９】
前記録画制御手段は、前記第２の番組情報における前記共通の番組の放送時刻に、録画した前記番組を再生するように制御することを特徴とする請求項１乃至８のいずれか１項に記載のテレビ受信機。
【請求項１０】
前記テレビ受信機は、前記第１の番組情報における放送時刻に録画された前記番組を第２の番組情報における前記番組の放送時刻に再生制御するとき、第２の番組情報における前記番組の放送時刻に前記番組を受信するように前記他のテレビ受信機に受信要求を送信する送信手段を有することを特徴とする請求項３に記載のテレビ受信機。
【請求項１１】
更に、映像および音声を入力して映像音声信号としてネットワークを介して前記他のテレビ受信機に送信すると共に、前記他のテレビ受信機から受信した映像音声信号から映像及び音声を出力する映像音声入出力部を具備することを特徴とする請求項３または１０に記載のテレビ受信機。
【請求項１２】
テレビ受信機であって、
放送波を受信する放送波受信手段と、
受信可能な放送に関する第１の番組情報をもとに受信される番組と、前記第１の番組情報とは異なる第２の番組情報をもとに受信される番組と、のうち共通の番組であって、前記第２の番組情報における前記共通の番組の放送時刻が前記第１の番組情報における前記共通の番組の放送時刻より早い番組を特定する情報を取得する取得手段と、
前記取得した情報に基づく信号をネットワークを介して他のテレビ受信機に送信する送信手段と、
を有し、
前記送信手段は、前記情報により特定された番組を前記第２の番組情報に従って録画するように録画要求信号を前記他のテレビ受信機に送信することを特徴とするテレビ受信機。
【請求項１３】
前記送信手段は、更に、前記第１の番組情報における前記共通の番組の放送時刻に、前記共通の番組を再生するように再生要求信号を前記他のテレビ受信機に送信することを特徴とする請求項１２に記載の送信手段。
【請求項１４】
更に、映像および音声を入力して映像音声信号としてネットワークを介して前記他のテレビ受信機に送信すると共に、前記他のテレビ受信機から受信した映像音声信号から映像及び音声を出力する映像音声入出力部を具備することを特徴とする請求項１２または１３に記載のテレビ受信機。
【請求項１５】
放送波を受信する放送波受信ステップと、
受信可能な放送に関する第１の番組情報をもとに受信される番組と、前記第１の番組情報とは異なる第２の番組情報をもとに受信される番組と、のうち共通の番組であって、前記第１の番組情報における前記共通の番組の放送時刻が前記第２の番組情報における前記共通の番組の放送時刻より早い番組を特定する情報を取得する取得ステップと、
前記情報により特定された番組を録画制御する録画制御ステップと、
を備えることを特徴とする情報処理方法。
【請求項１６】
放送波を受信する放送波受信ステップと、
受信可能な放送に関する第１の番組情報をもとに受信される番組と、前記第１の番組情報とは異なる第２の番組情報をもとに受信される番組と、のうち共通の番組であって、前記第２の番組情報における前記共通の番組の放送時刻が前記第１の番組情報における前記共通の番組の放送時刻より早い番組を特定する情報を取得する取得ステップと、
前記情報により特定された番組を前記第２の番組情報に従って録画するように録画要求信号を、ネットワークを介して他のテレビ受信機に送信する送信ステップと、
を備えることを特徴とする情報処理方法。
【請求項１７】
請求項１５または１６に記載の情報処理方法の各ステップをコンピュータに実行させるためのプログラムコードを有する、コンピュータで実行可能なプログラム。
【発明の詳細な説明】
【技術分野】
【０００１】
本発明は、テレビ受信機、情報処理方法及びプログラムに関し、更に詳しくは、ネットワークに接続され、接続した相手側のテレビと同一のテレビ番組の視聴を行うデジタルテレビ受信機、同一のテレビ番組の視聴を行う情報処理方法、及びその情報処理方法を実行するプログラムに関する。
【背景技術】
【０００２】
地上放送波を用いたテレビ放送において、多数の視聴者が特定の番組を同時に視聴し、視聴者の意見を放送局に送信して、その意見を取り入れながら放送番組を進行するテレビ放送が実施されている。多数の視聴者が特定の番組に参加できるテレビ放送システムの例が、特許文献１に記載されている。
【０００３】
また、近年、ネットワーク環境の整備が進み、広帯域の通信を広く容易に利用することが可能になっている。動画伝送に関する技術の進歩により、ネットワークを利用した動画コミュニケーションも気軽に利用できるようになってきている。
【０００４】
こうした背景のもと、テレビを利用した双方向動画通信手段によって二つのテレビを接続し、それぞれのユーザが手動で自分自身のテレビの選局を行い、同時に同じテレビ番組を受信しながら、双方向動画通信によってテレビ番組視聴の時間を共有するといった利用形態が存在する。
【０００５】
図３４は、こうした利用の概略構成図である。テレビ受信機８００，８２０はテレビ放送の受信機能の他に、ネットワーク接続機能と、このネットワーク接続機能を使用する動画通信手段（いわゆるテレビ会議機能）を有する。テレビ受信機８００，８２０は、インターネットを含むネットワーク８１０に接続する。
【０００６】
テレビ受信機８００は、アンテナ８０１を通じてテレビ放送を受信して、表示器８０２上のテレビ放送番組表示エリア８０３に表示する一方、映像音声入力機能を有するカメラ８０４からの動画情報を外部に送信し、受信した相手の動画情報うち映像を表示器８０２上の相手画像表示エリアに表示し、音声を図示しないスピーカから出力する。
【０００７】
テレビ受信機８２０も、テレビ受信機８００と同様の構成と機能を具備し、アンテナ８２１を通じてテレビ放送を受信して表示器８２２上のテレビ放送番組表示エリア８２３に表示し、映像音声入力機能を有するカメラ８２４からの動画情報を外部に送信し、受信した相手の動画情報うち映像を表示器８２２上の相手画像表示エリアに表示し、音声を図示しないスピーカから出力する。
【０００８】
ネットワークで接続されたテレビ受信機８００，８２０の視聴者は、お互いの様子を相手の動画及び音声によって知りつつ、それぞれのテレビ受信機で個別に受信した共通のテレビ放送番組を視聴する。ネットワークを通じたいわゆるテレビ会議機能によって、あたかも一つのリビングルームに居て、同じテレビ放送を一緒に視聴しているかのような体験を共有できる。
【特許文献１】特開平６−２１７３０７号公報
【発明の開示】
【発明が解決しようとする課題】
【０００９】
図４（Ａ）は、地域Ｘ（テレビ受信機８００）で受信視聴できるテレビ番組の放送スケジュールを示し、図４（Ｂ）は、地域Ｘとは異なる地域Ｙ（テレビ受信機８２０）で受信視聴できるテレビ番組の放送スケジュールを示す。地域Ｘでは、放送局Ａ、Ｂ、Ｃの放送をチャンネル１、２、３で受信することができ、時刻０１：００から０５：００の間、図４（Ａ）に示す番組を受信して視聴できる。一方、地域Ｙでは、図４（Ｂ）に示すとおり、放送局Ａ、Ｄ、Ｂ'の放送をチャンネル１、２、３で受信できる。
【００１０】
放送局Ａは、地域Ｙでも地域Ｘと同じ内容を放送する。テレビ受信機８００，８２０は放送局Ａの番組を同時に視聴でき、テレビ会議機能によって番組視聴を同時に体験することができる。
【００１１】
地域Ｙにおける放送局Ｄは、例えばこの地域Ｙのローカル局であり、図４（Ａ）及び図４（Ｂ）に示す時間帯では、地域Ｘにおけるどの放送局とも共通の番組はない。即ち、テレビ受信機８００，８２０が同時視聴できる番組は、存在しない。
【００１２】
放送局Ｂ'は、例えば地域Ｘにおける放送局Ｂに関連した放送局であり、放送局Ｂと共通の番組ｂ１、ｂ２、ｂ３を放送する。しかし、地域Ｘに固有の番組ｅもあり、放送時刻は、図４（Ａ）及び図４（Ｂ）に示す通り、番組ｂ１が同一であるものの、番組ｂ２、ｂ３については、放送局Ｂとは異なる時刻に放送される。この結果、テレビ受信機８００，８２０のテレビ会議機能による視聴の同時体験は、番組ｂ１でのみ可能となる。
【００１３】
図３５（Ａ）及び図３５（Ｂ）は、こうした事情の結果、地域Ｘにおけるテレビ受信機８００と地域Ｙにあるテレビ受信機８２０がテレビ会議機能による同時視聴体験をすることが可能なテレビ番組のスケジュールを、より理解しやすいように示した図である。図３５（Ａ）は、テレビ受信機８００において同時視聴可能な番組スケジュールを示し、図３５（Ｂ）は、テレビ受信機８２０において同時視聴可能な番組スケジュールを示す。このように、テレビ放送は、地域によって異なる放送スケジュールを持ち、同一の番組でも、放送日又は放送時刻が異なる場合が存在し、同時視聴できる番組が限られてしまう。
【００１４】
本発明の目的は、同時視聴の機会を増やすことのできるテレビ受信機を提示することを目的とする。
【課題を解決するための手段】
【００１５】
本発明の第１は、テレビ受信機であって、放送波を受信する放送波受信手段と、受信可能な放送に関する第１の番組情報をもとに受信される番組と、前記第１の番組情報とは異なる第２の番組情報をもとに受信される番組と、のうち共通の番組であって、前記第１の番組情報における前記共通の番組の放送時刻が前記第２の番組情報における前記共通の番組の放送時刻より早い番組を特定する情報を取得する取得手段と、前記情報により特定された番組を録画制御する録画制御手段と、を有することを特徴とする。
【００１６】
また、本発明の第２は、テレビ受信機であって、放送波を受信する放送波受信手段と、受信可能な放送に関する第１の番組情報をもとに受信される番組と、前記第１の番組情報とは異なる第２の番組情報をもとに受信される番組と、のうち共通の番組であって、前記第２の番組情報における前記共通の番組の放送時刻が前記第１の番組情報における前記共通の番組の放送時刻より早い番組を特定する情報を取得する取得手段と、前記取得した情報に基づく信号をネットワークを介して他のテレビ受信機に送信する送信手段と、を有し、前記送信手段は、前記情報により特定された番組を前記第２の番組情報に従って録画するように録画要求信号を前記他のテレビ受信機に送信することを特徴とする。
【００１７】
また、本発明の第３は、情報処理方法であって、放送波を受信する放送波受信ステップと、受信可能な放送に関する第１の番組情報をもとに受信される番組と、前記第１の番組情報とは異なる第２の番組情報をもとに受信される番組と、のうち共通の番組であって、前記第１の番組情報における前記共通の番組の放送時刻が前記第２の番組情報における前記共通の番組の放送時刻より早い番組を特定する情報を取得するステップと、前記情報により特定された番組を録画するステップと、を備えることを特徴とする。
【００１８】
また、本発明の第４は、放送波を受信する放送波受信ステップと、受信可能な放送に関する第１の番組情報をもとに受信される番組と、前記第１の番組情報とは異なる第２の番組情報をもとに受信される番組と、のうち共通の番組であって、前記第２の番組情報における前記共通の番組の放送時刻が前記第１の番組情報における前記共通の番組の放送時刻より早い番組を特定する情報を取得する取得ステップと、前記情報により特定された番組を前記第２の番組情報に従って録画するように録画要求信号を、ネットワークを介して他のテレビ受信機に送信する送信ステップと、を備えることを特徴とする。
【発明の効果】
【００１９】
本発明によれば、同一チャンネル・同一時間の番組のみならず、異なるチャンネル・同一時間の番組、更には、チャンネルにかかわらず異なる時間の番組も同時視聴が可能になる。
【００２０】
例えば、地域によって同一番組であっても異なる時刻に放送される場合においても、異なる時刻のうち遅い方の時刻において、同時に同一の番組を視聴することができ、テレビ会議機能によるコミュニケーションとあいまって、二つの地域の距離に無関係に同じテレビ番組を同時に視聴できる。また、放送時刻の差のある番組も同時刻に放送される番組も区別なく、同時視聴可能番組として扱えるので、同時視聴できる番組の選択肢が格段に広がり、より楽しいコミュニケーションを行うことが可能となる。
【００２１】
また、早い放送時刻に蓄積された番組に対して遅い放送時刻に同時視聴するまでの間、同時視聴によらない単独の視聴を制限する属性を付与することにより、同時視聴の目的で蓄積した番組を誤って、事前に単独で視聴してしまう失敗を避けることが可能となり、より簡便に同時視聴を楽しむ事が可能となる。
【発明を実施するための最良の形態】
【００２２】
以下、図面を参照して、本発明の実施例を詳細に説明する。
【実施例１】
【００２３】
図１は、本発明の一実施例であるデジタルテレビ受信機１００の概略構成ブロック図を示す。
【００２４】
選局部１０２には、地上波デジタル放送の受信アンテナ１０１からの放送信号又はＣＡＴＶ放送信号が入力する。選局部１０２は、制御部１１０からの制御信号に基づいて、番組情報が含まれる受信データから指定のチャンネルを選択（同調）し、選択したチャンネルのデータを復調部１０３に出力する。
【００２５】
復調部１０３は、入力された受信データに放送形態に応じた復調処理を行う。例えば、デジタルデータを復調する場合には、デジタル復調処理を施した後にエラー訂正を行う。復調部１０３は、復調したデータを分離部１０４に出力する。分離部１０４は、復調部２の出力信号から映像信号、音声信号及びデータ信号を分離し、映像信号と音声信号を映像音声処理部１０５に出力し、データ信号を番組情報抽出部１０６に出力する。
【００２６】
映像音声処理回路１０５は、ＭＰＥＧ２方式により圧縮されている映像信号を伸長（デコード）する。デコードされた映像信号は、画面合成部１０７の、少なくとも１画面分の記憶容量を持つフレームメモリに格納される。デコードされた音声信号は、図示されないＤ／Ａ変換器によりアナログ信号に変換され、増幅機能を含むスピーカ１０８から音声として出力される。
【００２７】
番組情報抽出部１０６は、分離部１０４からのデータ信号から放送番組の送信時に付加された番組情報を抽出する。本実施例では、番組選択を行うのに必要な番組属性データも抽出される。抽出された属性データを含む番組情報は、制御部１１０に供給される。番組属性データとは、放送信号に基づく番組の属性を示す情報であって、例えば、番組の開始・終了時刻情報、伝送チャンネル情報、番組の名称、番組をジャンル別に分類するのに必要なジャンル情報や有料放送等の放送サービス形態を示す情報、番組のシリーズ情報及び番組の視聴可能な制限年齢情報等のデータである。送信される放送信号が有料放送である場合には、課金を行うための課金情報等が、該当する番組に付加される場合もある。
【００２８】
制御部１１０は、メモリ１１２の不揮発性メモリ（ＲＯＭ）に記憶されているプログラムに従って各種の処理を実行する。制御部１１０は、論理ロジックのみで構成されていても、ＣＰＵ又は並列演算が可能なメディアプロセッサであってもよい。
【００２９】
ユーザの操作によりリモコン送信器１１７（いわゆるリモコン）から出力される赤外線信号が、リモコン受信部１１３で受信され、ユーザ操作情報が制御部１１０に供給される。
【００３０】
制御部１１０は、番組情報抽出部１０６から出力される番組情報データを取り込み、メモリ１１２に格納する。番組情報データは、一定周期で伝送されるので、メモリ１１２は、常に最新の番組情報を保持する。
【００３１】
グラフィック生成部１１１は、制御部１１０の描画命令により、ＢｉｔＢＬｔ（ｂｉｔ  ｂｌｏｃｋ  ｔｒａｎｓｆｅｒ）及びＤＭＡ（ｄｉｒｅｃｔ  ｍｅｍｏｒｙ  ａｃｃｅｓｓ）などのアクセラレーション機能を用いて、画面合成部１０７の中にあるフレームメモリにＥＰＧ画面等のデータを展開する。ＢｉｔＢＬｔとは、ビットマップデータの転送を意味し、転送は、メインメモリとグラフィックメモリの間及びグラフィックメモリ間で実行され得る。
【００３２】
メモリ１１２には、必要に応じて文字フォントなどが格納されており、文字情報を画面に展開するときに使用される。
【００３３】
画面合成部１０７は、制御部１１０からのウィンドウ管理指示に基づき、表示アドレスの切り替えを行いながら内部メモリから表示データを読み出し、映像音声処理部１０５からの映像データとグラフィック生成部１０７からの画像データとを適宜合成し、これらの合成画面を示すデータを表示器１０９に出力する。
【００３４】
画面合成部１０７はまた、制御部１１０からの指示により、映像音声処理部１０５からの映像データとグラフィック生成部１１１からの画像データの一方を選択して、表示器１０９に出力することもある。
【００３５】
表示部１０９は、マトリクス電極構造を持つフラットパネル（液晶表示素子又はプラズマ表示素子等）及びＣＲＴ等の、画像表示デバイスからなる。
【００３６】
映像音声符号化部１１４は、テレビ会議機能のために接続されたビデオカメラの映像及びマイクの音声を符号化して、多重分離部１１５に供給する。
【００３７】
多重分離部１１５は、符号化された映像データ及び音声データと制御部１１０から制御データを多重化し、ストリームデータとしてネットワークインターフェース（ＮＩＦ）１１６に出力する。また、多重分離部１１５は、ネットワーク１２０からネットワークインターフェース１１６を介して入力するストリームデータを映像データ、音声データ及び制御データに分離し、映像データ及び音声データを映像音声処理部１０５に出力し、制御データを制御部１１０に出力する。
【００３８】
映像音声処理部１０５は、音声データをデコードし、適切な混合比で放送番組の音声とミックスする。映像音声処理部１０５の音声出力は、スピーカ１０８に印加される。映像音声処理部１０５は、映像データもデコードし、デコードされた映像データは、画面合成部１０７により、表示器１０９の一部にテレビ会議機能における相手画像として表示される。
【００３９】
ネットワークインターフェース１１６は、ネットワーク１２０を介してテレビ会議の相手となるテレビ受信機１３０と接続する。テレビ受信機１３０との間で、多重化されたテレビ会議のストリームデータを送受信すると共に、後述の如く、各々が受信した番組情報などのデータを交換する。ネットワークインターフェース１１６により、テレビ受信機１００は、図示しないインターネット上のウェブサイトに接続し、ＨＴＭＬ（Ｈｙｐｅｒ  Ｔｅｘｔ  Ｍａｒｋｕｐ  Ｌａｎｇｕａｇｅ）で記述されたウェブページをダウンロードする等、インターネットのサービスにアクセスできる。
【００４０】
蓄積部１１８は、例えばハードディスク（ＨＤＤ）からなり、分離部１０４で分離されたトランスポートストリーム（ＴＳ）データを記憶でき、放送番組を録画できる。蓄積部１１８に蓄積されたＴＳデータを読み出し、映像音声処理部１０４でデコードすることにより、録画された放送番組を再生できる。更には、蓄積と読み出しの複合的な動作によって、遅延再生、ダイジェスト再生及びタイムシフトなどの機能を実現できる。制御部１１０が、蓄積部１１８に対するこれらの機能を制御する。
【００４１】
図２は、デジタルテレビ受信機１００によって表示される番組表の一例を示す。これは、いわゆる、ＥＰＧ（Ｅｌｅｃｔｒｏｎｉｃ  Ｐｒｏｇｒａｍ  Ｇｕｉｄｅ）画面である。デジタルテレビ受信機１００は、メモリ１１２に格納した番組情報に基づいて、図２に示すような番組放送スケジュールを表示する。これにより、視聴者による選局、視聴予約及び録画予約の操作を援助する。図２に示された番組表は、縦軸に時刻を、横軸に放送局及びそのチャンネルを配置した表形式からなる。時刻ごとに各チャンネルで視聴可能な番組名及び番組のジャンルの他、番組の内容に関する情報を表示するとともに、現在時刻における特定の番組を選択することにより、格納された番組情報に基づいて選局を行って、目的の番組の視聴を開始することができる。即ち、番組表上に表示される選択候補表示をリモコン１１７の方向キーの操作により目的の番組へ移動して、選択操作を行うことで、希望の番組を選択し選局できる。また、番組表上の将来の時刻にある番組を選択することにより、視聴予約又は録画予約を行うことができる。
【００４２】
テレビ受信機１３０は、テレビ受信機１００と同様の構成と機能を具備し、テレビ放送波を受信可能であり、ネットワーク１２０にも接続してテレビ受信機１００との間でテレビ会議を行うことができる。テレビ受信機１００，１３０は、以下に説明する同時視聴に関しても同様に動作する。
【００４３】
本実施の特徴的な動作を説明する。デジタルテレビ受信機１００は、予め適切な方法によって設定された、テレビ会議機能の通信相手となるデジタルテレビ受信機１３０と、ネットワーク１２０を介して接続する。そして、映像と音声によるコミュニケーションを図りつつ、共通のテレビ放送番組を視聴して、その体験を共有する。ここでは、こうしたコミュニケーションを伴った同一番組の視聴を同時視聴と呼ぶこととする。
【００４４】
図３は、デジタルテレビ受信機１００，１３０の同時視聴に関する動作フローを示す。以下の説明では、同時視聴を可能とする２台のテレビ受信機の一方を自テレビ、他方を相手テレビと称する。また、自テレビで受信可能な番組情報を自番組情報とし、相手テレビで受信可能な番組情報を相手番組情報とする。デジタルテレビ受信機１００は自テレビ、テレビ受信機１３０は相手テレビとする。自テレビの制御部１１０は、自身に組み込まれたロジック又はメモリ１１２に格納されたプログラムに従って各部を制御する。
【００４５】
Ｓ１０１において、制御部１１０は、前述した通り放送波に含まれる番組情報を番組情報抽出部１０６で抽出し、自番組情報としてメモリ１１２に格納する。次に、自テレビは、ネットワークインターフェース１１５を介して、予め設定された相手テレビに、相手テレビが放送波から抽出して格納している番組情報を要求し（Ｃ１０１）、これを受信する（Ｃ１０２）。制御部１１０は、受信した番組情報を相手番組情報としてメモリ１１２に格納する。図４（Ａ）は、自番組情報の一例を示し、図４（Ｂ）は相手番組情報の一例を示す。
【００４６】
制御部１１０は、相手テレビが格納する蓄積番組情報を相手テレビに要求し（Ｃ１０３）、これを受信し（Ｃ１０４）、相手蓄積番組情報としてメモリ１１２に格納する。蓄積番組情報とは、蓄積部１１７に蓄積された又はこれから蓄積される予定の番組（予約録画機能による録画予約番組）を特定する情報である。自テレビでは、制御部１１０が、蓄積部１１７に受信した放送番組を蓄積（録画）する際の番組情報を基に蓄積番組情報に登録し、蓄積した番組を削除する際にその番組の情報を蓄積番組情報から抹消する。ここでは、制御部１１０が自テレビの蓄積制御に伴ってメモリ１１２に格納する蓄積番組情報を自蓄積番組情報と呼び、相手テレビから受信して格納した蓄積番組情報を相手蓄積番組情報と呼ぶ。
【００４７】
制御部１１０は、メモリ１１２に格納した自番組情報と相手番組情報を用いて、自テレビと相手テレビにおいて視聴体験を共有できる番組を抽出し、同時視聴可能番組情報を作成する（Ｓ１０２）。この手順（Ｓ１０２）の詳細を図５に示す。
【００４８】
図５の第１ステップでは、制御部１１０は、相手番組情報を受信した後（Ｓ２０１）、自番組情報と相手番組情報を比較して、自テレビと相手テレビで同時刻に放送される番組を抽出し、同時視聴可能番組情報としてメモリ１１２に格納する（Ｓ２１０）。このステップＳ２１０の詳細を図６に示す。
【００４９】
図５の第２ステップでは、自番組情報と相手番組情報を比較し、同一の番組であって、相手番組情報における放送時刻と比較して自番組情報における放送時刻が早いものを抽出し、この番組を予約録画機能によって蓄積部１１７に蓄積するため、この番組をメモリ１１２に格納された蓄積番組情報に蓄積予定番組として登録する。同時に、当該番組を、相手番組情報上の放送時刻における同時視聴可能番組として、同時視聴可能番組情報に登録する（Ｓ２２０）。この動作の詳細を図７に示す。
【００５０】
図５の第３ステップでは、自テレビの制御部１１０は、相手番組情報と自蓄積番組情報を比較し、相手番組情報から、既に自テレビに蓄積された番組と同一の番組を抽出し、抽出された番組を、相手番組情報上の放送時刻における同時視聴可能番組として同時視聴可能番組情報に登録する（Ｓ２３０）。図８は、ステップＳ２３０の詳細なフローチャートを示す。
【００５１】
次に、制御部１１０は、相手テレビが格納している蓄積番組情報を、ネットワークを介して相手テレビに要求し（Ｃ１０３）、これを受信して（Ｃ１０４、Ｓ２４０）、相手蓄積番組情報としてメモリ１１２に格納する。得られた相手蓄積番組情報と自番組情報を比較し、同一の番組を抽出し、抽出された番組を、自番組情報上の放送時刻における同時視聴可能番組として同時視聴番組情報に登録する（Ｓ２５０）。この比較と抽出に関する動作の詳細なフローを図９に示す。
【００５２】
以上の手順で作成される自テレビの同時視聴可能番組情報及び蓄積番組情報と、相手テレビからの相手蓄積番組情報の例を、図１０乃至図１４に示す。
【００５３】
図１０は、相手番組情報を受信して同時視聴可能番組を抽出する以前の自テレビの同時視聴可能番組情報、自蓄積番組情報及び相手蓄積番組情報を示す。自蓄積番組情報は、この説明より以前の動作により蓄積部１１７に番組ｅが蓄積（録画）されていること示している。この時点では、未だ相手テレビの蓄積番組情報を受信していないので、メモリ１１６の相手蓄積番組情報は、空である。
【００５４】
図１１は、相手番組情報を受信した後、自番組情報と比較して同時視聴可能番組を登録した（Ｓ２１０）時点の自テレビの同時視聴可能番組情報、自蓄積番組情報及び相手蓄積番組情報を示す。図４（Ａ）に示す自番組情報及び図４（Ｂ）に示す相手番組情報において、二つのテレビで同じ時刻に視聴できる番組（同時視聴可能な番組）として、チャンネル１の番組ａ１、ａ２、ａ３、ａ４と、チャンネル２の番組ｂ１が登録されている。
【００５５】
図１２は、自番組情報と相手番組情報に共通の番組であって、相手番組情報における放送時刻に比較して自番組情報における放送時刻が早い番組を検出した（Ｓ２２０）時点の自テレビの同時視聴可能番組情報、自蓄積番組情報及び相手蓄積番組情報を示す。チャンネル２で放送される番組ｂ２を自テレビの受信時に予め蓄積し、この蓄積番組を相手テレビで同一番組が受信できる時刻に再生することにより、同時視聴が可能である。よって、同時視聴可能番組情報として、相手番組情報における放送時刻に番組ｂ２が登録され、自蓄積番組情報には、自番組情報における放送時刻に番組ｂ２が蓄積予定として登録される。
【００５６】
図１３は、相手番組情報と自蓄積番組情報を比較し、同時視聴可能番組を検出した時点（Ｓ２３０）の自テレビの同時視聴可能番組情報、自蓄積番組情報及び相手蓄積番組情報を示す。相手テレビで番組ｅを受信できる時刻に自テレビでは既に蓄積された同一の番組ｅを再生することにより、同時視聴が可能である。よって、番組ｅが、相手番組情報上の放送時刻における同時視聴可能番組として、同時視聴可能番組情報に登録されている。
【００５７】
図１４は、相手蓄積番組情報を受信し、自番組情報と比較した時点（Ｓ２５０）の自テレビの同時視聴可能番組情報、自蓄積番組情報及び相手蓄積番組情報を示す。受信した相手蓄積番組情報では、番組ｂ３が自番組情報における放送時刻より早い時刻に蓄積予定となっているので、自番組情報における放送時刻において、自テレビにおける放送番組受信と並行して相手テレビで蓄積された番組ｂ３を再生することにより、同時視聴が可能である。よって、番組ｂ３が、自番組情報上の放送時刻における同時視聴可能番組として登録されている。
【００５８】
図１５（Ａ）は、同時視聴可能番組情報に登録される一番組分のデータの構成を示す。図１５（Ａ）に示すように、同時視聴可能番組データは、同時視聴可能な番組の、チャンネル、開始日付時刻、終了日付時刻、番組名、自番組情報における番組特定情報、及び相手番組上における番組特定情報からなる。チャンネル、開始日付時刻及び終了日付時刻をまとめて、同時視聴位置と呼ぶ。図１５（Ｂ）は、同時視聴の場合の番組特定情報を示し、図１５（Ｃ）は録画予定の場合の番組特定情報を示し、図１５（Ｄ）は、録画済みの場合の番組特定情報を示す。
【００５９】
図１５（Ｂ）、（Ｃ）および（Ｄ）に示す通り、自番組情報上と相手番組上の番組特定情報は、受信放送局、受信チャンネル、放送開始日付時刻、放送終了日付時刻及び状態データからなる。状態データは、同時視聴時に放送を受信する場合には「放送受信」属性からなり、同時視聴までの間に蓄積が行われる予定である場合には「録画予定」属性からなり、蓄積済みの場合には「録画済み」属性と、蓄積部に蓄積された番組を特定する情報からなる。
【００６０】
図１６（Ａ）は、蓄積番組情報に登録される一番組分のデータの構成を示す。図１６（Ａ）に示すように、蓄積番組データは、番組名、受信放送局、受信チャンネル、放送開始日付時刻、終了日付時刻及び状態データから構成される。状態データは、図１６（Ｂ）および（Ｃ）に示す通り、番組がこれから蓄積される予定である場合には「録画予定」属性になり、既に蓄積済みの場合には「録画済み」属性と、蓄積部に蓄積された番組を特定する情報からなる。
【００６１】
図３において、同時視聴番組情報及び蓄積番組情報が作成されると、制御部１１０は、ユーザによって同時視聴サービスが起動されるのを待つ。この間、相手テレビから番組情報の要求（Ｃ１０５）又は蓄積番組情報の要求（Ｃ１０７）があると、制御部１１０は、メモリ１１７に格納された自番組情報又は自蓄積番組情報を取り出し、ネットワークインターフェース１１６を介して相手テレビに送信する（Ｃ１０６，Ｃ１０８）。
【００６２】
自蓄積番組情報に含まれる番組蓄積予定時刻が到来した場合、自蓄積番組情報の受信チャネルで指定された放送を受信し、該当する番組を蓄積部１１８に蓄積し、同時視聴可能番組情報と自蓄積番組情報におけるその番組データの状態部を録画済み属性に更新し、蓄積部１１８に格納した番組データへのリンクをコンテンツ特定情報として格納する（Ｓ１０５）。
【００６３】
ユーザは、テレビ受信機１００をリモコン１１７で操作し、同時視聴可能番組情報に基づいた同時視聴可能番組表を表示部１０９に表示させて、その内容を確認できる。即ち、ユーザがリモコンを通じた適切なメニュー操作などにより、同時視聴可能番組表の表示を指示すると、制御部１１０は、メモリ１１２から同時視聴可能番組情報を読み出し、グラフィック生成部１１１を制御して番組表の表示画面を作成する。この番組表の画面が合成部１０７を経て表示部１０９に表示される。
【００６４】
図１７は、同時視聴可能番組表の表示例を示す。図１７に示す例は、図１４で示した同時視聴可能番組情報に基づいており、画面のスクロール機能により、概ね３：００から７：００までの間の同時視聴可能な番組が表示されている。ユーザは、この表を見て、この時間帯に複数のテレビ番組を相手テレビのユーザと一緒に見ることが可能であることを知る。
【００６５】
図３において、ユーザがリモコンを通じた適切なメニュー操作などにより、相手テレビとの同時視聴の開始を指示すると、制御部１１０は、ネットワークインターフェース１１６を介して相手テレビ１３０との間にテレビ会議コネクションを確立し（Ｃ１０９）、お互いの映像音声ストリームの交換（送受信）を開始する（Ｃ１１０）。
【００６６】
例えば、３：００少し前頃、表示器１０９に表示される同時視聴番組表において、リモコン操作を通じて番組ａ２を選択した場合（Ｓ１０５）、制御部１１０は、この操作を検出し、同時視聴可能番組情報の当該番組に関するデータの自番組特定情報に基づき、選局部１０２、復調部１０３、分離部１０４及び映像音声処理部１０５を協調的に制御し、チャンネル１を選局して番組ａ２を表示する。同時に、同時視聴可能番組情報の当該番組に関するデータの相手番組特定情報に基づき、同じくチャンネル１を選局するようにネットワークインターフェース１１６を介して選局要求を相手テレビに送信する（Ｃ１１１）。
【００６７】
例えば３：００を過ぎた頃、同時視聴番組表において番組ｂ３を選択した場合、制御部１１０は、同時視聴可能番組情報の当該番組に関するデータの自番組特的情報に基づき、自テレビではチャンネル２を選局するように制御し、同データの相手番組特定情報に基づき、相手テレビに対しては蓄積番組の番組ｂ３を再生するよう選局要求を送信する。自テレビまたは相手テレビの一方で放送番組の受信を、他方で同時視聴のための蓄積番組の再生を行う場合、要求を行う時点の時刻に基づいて、放送番組の進行に見合った時点の再生が行われるように、蓄積番組の途中から再生するように自テレビを制御又は自テレビから相手テレビに要求する。
【００６８】
例えば４：００を過ぎた頃、同時視聴番組表において番組ｂ２を選択した場合、制御部１１０は、同時視聴可能番組情報の当該番組に関するデータの自番組特的情報に基づき、自テレビでは蓄積番組の番組ｂ２を再生するよう制御し、同データの相手番組特定情報に基づき、相手テレビに対してはチャンネル３を選局するように選局要求を送信する。
【００６９】
相手テレビのユーザが、相手テレビ上で表示された同時視聴番組表において番組を選択した場合には、自テレビからの選局要求と同様の選局要求が相手テレビから送信される（Ｃ１１２）。ネットワークインターフェース１１６を通介してこの選局要求を受け取った制御部１１０は、要求内容に従い、チャンネル指定に基づき、選局部１０２、復調部１０３、分離部１０４及び映像音声処理部１０５を協調的に制御し、指定されたチャンネルを選局して表示し、または、指定された蓄積番組を再生する。
【００７０】
図１８は、このようにしてテレビ会議機能によって相手テレビと映像音声を伴うコミュニケーションを行いつつ、同一の放送番組を視聴する自テレビの表示器１０９の表示画面例を示す。図１８で、２０１は相手テレビと同時に視聴している番組の画像、２０２は相手テレビに備えられたテレビカメラで撮影された相手テレビユーザの映像、２０３は同時視聴に供される番組の番組名、番組の説明、放送を行った放送局及びチャンネルを表示する番組情報表示である。番組情報表示２０３では、自テレビにおいて番組を受信した放送局及びチャンネルと、相手テレビにおいて番組を受信した放送局及びチャンネルが表示される。番組情報表示２０３は、主に選局操作または選局要求に基づく選局が行われた時に表示され、適切な時間の後、消去される。
【００７１】
本実施例では、自番組情報と相手番組情報を比較して、相手番組情報上の放送時刻より自番組情報上の放送時刻が早い番組を検出して、蓄積の予定を登録しつつ、同時に同時視聴可能番組として同時視聴可能番組情報にも登録している。しかし、実際に蓄積（録画）が終了してから、同時視聴可能番組情報に登録するようにしてもよい。
【００７２】
予め適切な操作方法により同時視聴を行う予定時間帯を指定し、その時間帯に同時視聴できる番組のみを検出するようにしてもよい。この場合、同時視聴のために予め蓄積しておく番組の数が制限されるので、蓄積部１１７の容量を比較的小さくすることができるという利点を有する。
【実施例２】
【００７３】
本発明の第２実施例は、同時視聴を行う二つのテレビ受信機の間で異なる時刻に放送される同一の番組を同時視聴可能とするための蓄積制御に特徴を有する。第１の実施例との相違点を中心に第２実施例を説明し、第１の実施例と同様の機能部分の説明は、省略する。
【００７４】
図１９は、本発明の第２実施例であるテレビ受信機３００の概略構成ブロック図を示す。デジタルテレビ受信機３００は、デジタルテレビ受信機１００と同様、地上波デジタル放送及び／又はＣＡＴＶの放送信号を受信し、復調した信号から分離した番組情報に基づいて番組表を表示し、ユーザの選局操作に従って放送番組を受信・デコードして表示し、また、映像及び音声によるコミュニケーション手段であるテレビ会議機能を有する。制御部３１０及び制御プログラムとデータを格納するメモリ３１２がそれぞれ、デジタルテレビ受信機１００の制御部１１０及びメモリ１１２とは異なる。即ち、デジタルテレビ受信機３００は、その制御態様がデジタルテレビ受信機１００とは異なる。
【００７５】
ネットワーク１２０には、デジタルテレビ受信機３００と同様の構成と機能を備えるデジタルテレビ受信装置３３０が接続する。ネットワーク１２０には更に、全国のテレビ放送番組に関する番組情報を提供する番組情報提供サービスサイト３４０が接続する。サイト３４０により、受信機３００，３３０は、地域を特定して要求することにより、何れの地域についても、受信可能なテレビ放送番組に関する番組情報を得ることが出来る。
【００７６】
図２０は、デジタルテレビ受信機３００の同時視聴動作のフローを示す。自テレビは、デジタルテレビ受信機３００であり、相手テレビは、デジタルテレビ受信機３３０であるとする。
【００７７】
図２０のＳ３０１において、自テレビの制御部３１０は、放送波に含まれる番組情報を番組情報抽出部１０６より抽出し、自番組情報としてメモリ３１２に格納する。次に、ネットワークインターフェース１１５を介して相手テレビに対して、相手テレビが放送波から抽出して格納している番組情報に含まれる地域情報を要求し（Ｃ３０１）、これを受信する（Ｃ３０２）。地域情報は、放送波に多重される番組情報に含まれるデータの一つであり、番組情報が対象としている地域を示すデータである。
【００７８】
制御部３１０は、番組情報提供サービスサイト３４０にネットワークを介してアクセスし、相手テレビから受信した地域情報に基づき、相手テレビの設置された地域で受信される番組情報を要求し（Ｃ３０３）、これを受信する（Ｃ３０４）。制御部３１０は、サイト３４０からの番組情報を相手番組情報としてメモリ３１２に格納する。
【００７９】
図４（Ａ）及び図４（Ｂ）は、メモリ３１２に格納された自番組情報及び相手番組情報の一例をそれぞれ示す。メモリ３１２には、自テレビの蓄積部１１８に蓄積された放送番組に関する番組情報が自蓄積番組情報として格納されている。本実施例では、番組ｅが蓄積されており、自蓄積番組情報に登録されている。
【００８０】
制御部３１０は、メモリ３１２に格納された自番組情報、相手番組情報及び自蓄積番組情報から、自テレビと相手テレビにおいて同時視聴可能な番組を抽出して、同時視聴可能番組情報を形成する（Ｓ３０２）。この手順は、図２１に示すフローで実行される。
【００８１】
図２１では、第１ステップとして、制御部３１０は、相手番組情報を受信した後（Ｓ４０１）、自番組情報と相手番組情報を比較して、自テレビと相手テレビで同時刻に放送される番組を抽出し、同時視聴可能番組情報としてメモリ３１２に格納する（Ｓ４１０）。このステップＳ４１０の詳細を、図２２に示す。
【００８２】
第２ステップとして、自番組情報と相手番組情報の両方に含まれる番組であって、相手番組情報における放送時刻に比較して自番組情報における放送時刻が早いものを抽出し、この番組を予約録画機能によって蓄積部１１７に蓄積するため、メモリ３１２の蓄積番組情報に蓄積予定番組として登録する。同時にこの番組を相手番組情報による（遅い）放送時刻における同時視聴可能番組として同時視聴可能番組情報に登録する（Ｓ４２０）。ステップＳ４２０の詳細を図２３に示す。
【００８３】
第３ステップとして、自テレビの制御部３１０は、相手番組情報と自組情報の両方に含まれる番組であって、自番組情報における放送時刻に比較して相手番組情報における放送時刻が早いものを抽出し、この番組を相手テレビの予約録画機能によって相手テレビの蓄積部へ蓄積するため、この番組の蓄積要求をネットワークを介して相手テレビに送信する（Ｃ３０５）。また、自番組情報の放送時刻における同時視聴可能な番組として、同時視聴可能番組情報にこの番組を登録する（Ｓ４３０）。ステップＳ４３０の詳細を動作の詳細は図２４に示す。
【００８４】
図２５乃至図２８は、以上の手順で作成される自テレビの同時視聴可能番組情報と自蓄積番組情報の一例を時系列で示す。
【００８５】
図２５は、相手番組情報を受信して同時視聴可能番組を抽出する以前の同時視聴可能番組情報及び自蓄積番組情報を示す。自蓄積番組情報には、この説明より以前の動作により蓄積部１１７に番組ｆが蓄積（録画）されている。
【００８６】
図２６は、相手番組情報を受信した後、自番組情報と比較して同時視聴可能番組を登録した時点（Ｓ４１０）の同時視聴可能番組情報と自蓄積番組情報を示す。図４（Ａ）及び図４（Ｂ）で示す自番組情報と相手番組情報において、二つのテレビで同時に視聴できる番組としてチャンネル１の番組ａ１、ａ２、ａ３、ａ４と、チャンネル２の番組ｂ１が登録されている。
【００８７】
図２７は、同一の番組で相手番組情報における放送時刻に比較して自番組情報における放送時刻が早い番組を検出した時点（Ｓ４２０）の同時視聴可能番組情報と自蓄積番組情報を示す。チャンネル２で放送される番組ｂ２を自テレビの受信時に蓄積し、この蓄積番組を相手テレビで同一番組が受信できる時刻に再生することにより同時視聴が可能である。そこで、同時視聴可能番組情報には、相手番組情報における放送時刻に番組ｂ２が登録され、自蓄積番組情報には、自番組情報における放送時刻に番組ｂ２が蓄積予定として登録されている。
【００８８】
図２８は、再び自番組情報と相手番組情報とを比較し、同一の番組であって自番組情報における放送時刻に比較して相手番組情報における放送時刻が早いものを抽出し、相手テレビに蓄積要求を送信した時点（Ｓ４３０）の同時視聴可能番組情報と自蓄積番組情報を示す。相手テレビのチャンネル３で受信できる番組ｂ３を予め蓄積しておき、自番組情報における放送時刻に再生することによって同時視聴が可能である。そこで、自番組情報における放送時刻に番組ｂ３が同時視聴可能番組として登録されている。
【００８９】
図２９（Ａ）は、蓄積番組情報に登録される一番組分のデータの構成例を示す。データは第１実施例における構成（図１６（Ａ））とほぼ同様の構成を有するが、状態データに「同時視聴予約」属性が格納される点が異なる。
【００９０】
即ち、図２９（Ｂ）および（Ｃ）に示すように、自テレビのユーザ操作による蓄積（録画）予約が行われた登録データに対して、状態データには「録画予約」属性が格納されるが、図２９（Ｄ）に示すように、自テレビにおける同時視聴可能番組の検出に基づく蓄積予約が行われた場合と、相手テレビからの蓄積要求によって蓄積（録画）予約が行われた場合の登録データの場合には、「録画予約」属性に加えて、「同時視聴予約」属性が格納され、蓄積された番組が同時視聴のために用意されているものであることを示す。
【００９１】
図２９（Ｅ）に示すように、「同時視聴予約」属性は、予約された放送番組を受信し蓄積した後、同時視聴による番組の再生が行われるまで保持される。同時視聴が行われ番組が再生されるか、又は同時視聴の予定時刻を過ぎた場合に、「同時視聴予約」属性は削除され（図２９（Ｆ））、同時視聴のための予約が解除されたことを示す。
【００９２】
図２０において、同時視聴番組情報及び蓄積番組情報が作成されると、制御部３１０は、ユーザによって同時視聴サービスが起動されるのを待つ。この間に相手テレビから地域情報の要求（Ｃ３０５）があると、制御部３１０は、メモリ３１７に格納された自番組情報に含まれる地域情報を取り出し、ネットワークインターフェース１１６を介して相手テレビに送信する（Ｃ３０７）。蓄積番組情報の要求（Ｃ３１０）があると、制御部３１０は、自蓄積番組情報に蓄積予約を登録する。
【００９３】
自蓄積番組情報に含まれる番組蓄積予定時刻が到来した場合、自蓄積番組情報に従って受信チャネルの放送を受信し、該当する番組を蓄積部１１８に蓄積して録画予約を実行し、同時視聴可能番組情報と蓄積番組情報における当該番組データの状態部を録画済み属性に更新し、蓄積部１１８に格納した番組データへのリンクをコンテンツ特定情報として格納する（Ｓ３０３）。
【００９４】
ユーザは、テレビ受信機３００をリモコン１１７で操作し、第１実施例と同様に、同時視聴可能番組情報に基づいた同時視聴可能番組表を表示部１０９に表示させることができる。図３０は、同時視聴可能番組表の表示例を示す。図３０では、画面のスクロール機能により概ね３：００から７：００までの間に同時視聴可能な番組が表示されている。ユーザは、この表を見て、この時間帯に複数のテレビ番組を相手テレビのユーザと一緒に見ることが可能であることを知る。
【００９５】
ユーザは、テレビ受信機３００をリモコン１１７で操作し、蓄積番組情報に基づいた蓄積番組表を表示部１０９に表示させ、蓄積部１１８に蓄積された番組の一覧から希望の番組を再生させることが出来る。即ち、ユーザがリモコンを通じた適切なメニューの操作などにより蓄積番組表の表示を指示すると、制御部３１０は、メモリ３１７に格納した自蓄積番組情報を読み出し、グラフィック生成部１１１を制御して番組表の表示画面を作成し、この表示画面が合成部１０７により表示部１０９に表示される。
【００９６】
図３１は、こうして表示された蓄積番組表の表示例を示す。図３１に示す例は、図２８で示す蓄積番組情報に加えて、相手テレビからの番組ｂ３の蓄積要求（図２０のＣ３１０）が行われた後の蓄積番組情報に基づいており、時刻は０３：００を過ぎ、番組ｂ３の蓄積動作が終了した状態におけるものである。即ち、蓄積部１１８に番組ｆと番組ｂ３が蓄積されている状態になっている。
【００９７】
図３１に示す表示例で、ユーザが適切なリモコン操作によって番組ｆを選択すると、制御部３１０は、蓄積番組情報のコンテンツ特定情報を用いて蓄積部１１８にある番組ｆのデータを再生するよう各部を制御する。これにより、番組ｆが再生され、表示部１０９に表示される。
【００９８】
同様に、図３１に示す蓄積番組表上で番組ｂ２が選択された場合、蓄積番組情報の状態データに「同時視聴予約」属性が指定されているので、制御部３１０は、番組ｂ２の再生のための制御を開始する前に、グラフィック生成部を制御して図３２に示すダイアログを表示する。番組ｂ２は、相手テレビとの同時視聴を時刻０４：００から０５：００の間に行う目的で蓄積された番組であるので、予定に反して同時視聴でなく再生を行う事に対して、改めて確認を求める。ユーザは、適切なリモコン操作によって、予定に反して単独で番組ｂ２の再生を行うか、または、選択操作を誤りと認めて再生を中止し、予定通り同時視聴の機会にこれを再生するかのいずれかを、ダイアログ上で選択する。
【００９９】
図２０において、ユーザがリモコンを通じた適切なメニュー操作などにより、相手テレビのユーザと共に同時視聴を開始すべく指示を行うと、制御部３１０は、ネットワークインターフェース１１６を介して相手テレビ３３０との間にテレビ会議コネクションを確立し（Ｃ３１１）、お互いの映像音声ストリームの交換（送受信）を開始する（Ｃ３１２）。ユーザは、適切なリモコン操作により、図３１で例示した同時視聴可能番組表を表示させ、テレビ会議機能による映像音声によるコミュニケーションを相手テレビのユーザと交わしながら、同時視聴を開始するためにいずれかの番組を選択する。制御部３１０が、ネットワークインターフェース１１６を介して相手テレビに対し、選択された番組の同時視聴ができるように選局要求を行うことは第１実施例と同じである。相手テレビにおいて相手テレビのユーザが同時視聴の番組を選択した場合に、相手テレビから選局要求が送信され、自テレビの選局が行われて同時視聴が行われることも、第１実施例と同じである。
【０１００】
本実施例では、自番組情報と相手番組情報を比較し、相手番組情報上の放送時刻より自番組情報上の放送時刻が早い番組を検出して、蓄積の予定を登録しつつ、同時に同時視聴可能番組として同時視聴可能番組情報にも登録したが、実際に蓄積（録画）が実行され終了してから、同時視聴可能番組情報に登録するようにしてもよい。
【０１０１】
自番組情報と相手番組情報を比較し、自番組情報上の放送時刻より相手番組情報の放送時刻が早い番組を検出して、相手テレビに対して蓄積要求を出しつつ、同時に同時視聴可能番組として同時視聴可能番組情報にも登録したが、実際の蓄積（録画）が実行され終了してから、同時視聴可能番組情報に登録するようにしてよい。
【０１０２】
本実施例では、相手テレビ３３０においても同時視聴可能番組の検出を自テレビ３００と同様に行うように説明したが、自テレビ３００からの蓄積要求と選局要求に対して本実施例の説明と同様に動作する一方で、相手テレビにおいて同時視聴可能番組を検出しない構成及び同時視聴可能番組表の表示を行わない構成も可能である。この場合、相手テレビにおいて同時視聴可能番組を選択することが出来ないので、相手テレビから自テレビへの選局要求は行われない。
【０１０３】
同時視聴可能番組の検出に関しては、予め同時視聴を行う予定時間帯を指定し、その時間帯に同時視聴できる番組のみを検出するようにしてもよい。この場合、同時視聴のために予め蓄積しておく番組の数が制限され、蓄積部１１７の容量を比較的小さくすることができるという利点がある。
【０１０４】
以上、説明した実施例１及び２では、自番組情報と相手番組情報を比較して、相手番組情報上の放送時刻より自番組情報上の放送時刻が早い番組を検出して、検出した番組の自番組情報上の放送時刻に、その番組を自動的に録画している。しかし、その番組を録画する前に、ユーザに録画の確認をしてもよい。この場合、表示部１０９に録画確認の表示をし、ユーザが録画開始を決定する操作を行ってから、テレビ受信機が録画を実施する構成をとることができる。
【０１０５】
実施例１及び２では、自番組情報と相手番組情報を比較して、相手番組情報上の放送時刻より自番組情報上の放送時刻が早い番組を検出して、その番組を蓄積し、相手番組情報上の放送時刻に、蓄積した番組を再生している。しかし、特定の番組を選択し、自テレビと相手テレビで特定の番組を蓄積しておき、自番組情報上および相手番組情報上の両方の特定の番組の放送時刻以降の特定の時刻に、自テレビと相手テレビで同時に再生することで同時視聴をするようにしてもよい。そのため、自テレビと相手テレビの少なくともいずれか一方から特定の時刻情報を送信し、その情報にもとに自テレビと相手テレビで同時に再生する。この場合、自テレビおよび相手テレビの双方で番組を録画するため、自番組情報と相手番組情報を比較して、相手番組情報上の放送時刻より自番組情報上の放送時刻が早い番組を検出するステップを省略してもよい。
【０１０６】
実施例２では、同時視聴可能番組の検出を自テレビ及び相手テレビで行う様に説明したが、自テレビ及び相手テレビ以外の番組情報検出装置が同時視聴番組の検出を行う構成も可能である。番組情報検出装置は、サーバーであってもよい。自テレビ５００、相手テレビ５３０、上記の番組検出装置である同時視聴可能番組検出サーバー５４０、及び番組情報提供サービス５５０からなる構成における、自テレビと相手テレビとの同時視聴に関する動作フローを図３３に示す。まず、自テレビ５００から相手テレビ５３０に相手テレビの存在する地域情報を要求し（Ｃ３０１）、その地域情報を自テレビが受信する（Ｃ３０２）。次に、自テレビ５００から同時視聴可能番組検出サーバー５４０に同時視聴可能番組情報を要求する（Ｃ４０１）。同時視聴可能番組検出サーバー５４０は、自テレビ５００と相手テレビ５３０の地域情報をもとに番組情報提供サービス５５０から自番組情報と相手番組情報を受信する。そして、同時視聴可能番組検出サーバー５４０が、自番組情報と相手番組情報から同時視聴可能番組を検出し、同時視聴可能番組情報を作成する。作成された同時視聴可能番組情報を自テレビ５００が受信し（Ｃ４０２）、同時視聴可能番組情報をもとに相手テレビ５３０に同時視聴可能番組の蓄積を要求する（Ｓ５０１）。同様の手続きを、相手テレビ５３０も行う。以上のような動作フローによって、自テレビと相手テレビで同時視聴が可能となる。
【０１０７】
なお、同時視聴番組検出サーバー５４０の機能を、番組情報提供サービス５５０が有してもよい。この場合には、自テレビ５００から番組情報提供サービス５５０に同時視聴可能番組情報を要求する。このように、テレビ受信機以外の検出手段で同時視聴可能番組情報を検出することで、テレビ受信機の構成をより簡素にすることが可能である。
【０１０８】
実施例１及び２では、テレビ受信機が表示部を含む構成を例示したが、テレビ受信機が表示部を含まない、いわゆるセットトップボックスの構成をとることも可能である。その場合、画面合成部は、接続されたディスプレイで表示するための映像表示信号を出力する機能を含み、映像音声処理部に含まれる音声信号出力部は、適切なスピーカを接続するための音声信号出力機能を含む。その他の構成要素の機能と動作は、以上に説明した通りである。
【０１０９】
また、実施例１及び２では、テレビ受信機が蓄積部を含む構成を例示したが、テレビ受信機が蓄積部を含まない構成をとることも可能である。つまり、テレビ受信機が録画再生制御部を有し、テレビ受信機にハードディスクレコーダのような録画再生装置（蓄積部）を接続してもよい。このような構成をとることで、テレビ受信機が録画再生装置に、番組の録画指示や録画した番組の再生指示を行い、これにより同時視聴が可能となる。
【０１１０】
また、本発明は、上記に述べた実施の形態をテレビ受信機あるいはセットトップボックス（コンピュータ）に実行させるためのプログラムコードを有する、コンピュータで実行可能なプログラムであることを含む。したがって、実施例１及び２で説明した機能を有していないテレビ受信機あるいはセットトップボックス（コンピュータ）を用意し、実施例１及び２に記載した方法を実行するプログラムをダウンロードして、テレビ受信機あるいはセットトップボックスが、実施例１及び２に記載した方法を実行するようにしてもよい。
【図面の簡単な説明】
【０１１１】
【図１】本発明の第１実施例の概略構成ブロック図である。
【図２】デジタルテレビ受信機１００によって表示される番組表の一例である。
【図３】本発明の第１実施例の同時視聴動作のフローである。
【図４】図４（Ａ）は自番組情報の一例であり、図４（Ｂ）は相手番組情報の一例である。
【図５】本発明の第１実施例の同時視聴動作のフローにおける、ステップＳ１０２の詳細なフローチャートである。
【図６】ステップＳ１０２のフローチャートにおける、ステップＳ２１０の詳細なフローチャートである。
【図７】ステップＳ１０２のフローチャートにおける、ステップＳ２２０の詳細なフローチャートである。
【図８】ステップＳ１０２のフローチャートにおける、ステップＳ２３０の詳細なフローチャートである。
【図９】ステップＳ１０２のフローチャートにおける、ステップＳ２５０の詳細なフローチャートである。
【図１０】第１実施例で、相手番組情報を受信して同時視聴可能番組を抽出する以前の、自テレビの同時視聴可能番組情報、自蓄積番組情報及び相手蓄積番組情報の例である。
【図１１】ステップＳ１０２のフローチャートにおける、ステップＳ２１０での同時視聴可能番組情報、蓄積番組情報及び相手蓄積番組情報の例である。
【図１２】ステップＳ１０２のフローチャートにおける、ステップＳ２２０での同時視聴可能番組情報、蓄積番組情報及び相手蓄積番組情報の例である。
【図１３】ステップＳ１０２のフローチャートにおける、ステップＳ２３０での同時視聴可能番組情報、蓄積番組情報及び相手蓄積番組情報の例である。
【図１４】ステップＳ１０２のフローチャートにおける、ステップＳ２５０での同時視聴可能番組情報、蓄積番組情報及び相手蓄積番組情報の例である。
【図１５】図１５（Ａ）は、同時視聴可能番組情報のデータ構造例であり、図１５（Ｂ）は、同時視聴の場合の番組特定情報のデータ構造例であり、図１５（Ｃ）は、録画予定の場合の番組特定情報のデータ構造例であり、図１５（Ｄ）は、録画済の場合の番組特定情報のデータ構造例である。
【図１６】図１６（Ａ）は、蓄積番組情報に登録される一番組分のデータ構造例であり、図１６（Ｂ）は、録画状態の場合の状態のデータ構造例であり、図１６（Ｃ）は、録画済の場合の状態のデータ構造例である。
【図１７】本発明の第１実施例の同時視聴可能番組表の表示例である。
【図１８】同一番組視聴時の表示画面例である。
【図１９】本発明の第２実施例の概略構成図である。
【図２０】本発明の第２実施例の同時視聴動作のフローである。
【図２１】本発明の第２実施例の同時視聴動作のフローにおける、ステップＳ３０２の詳細なフローチャートである。
【図２２】ステップＳ３０２のフローチャートにおける、ステップＳ４１０の詳細なフローチャートである。
【図２３】ステップＳ３０２のフローチャートにおける、ステップＳ４２０の詳細なフローチャートである。
【図２４】ステップＳ３０２のフローチャートにおける、ステップＳ４３０の詳細なフローチャートである。
【図２５】第２実施例で、相手番組情報を受信して同時視聴可能番組を抽出する以前の同時視聴可能番組情報及び自蓄積番組情報である。
【図２６】ステップＳ３０２のフローチャートにおける、ステップＳ４１０での同時視聴可能番組情報と自蓄積番組情報である。
【図２７】ステップＳ３０２のフローチャートにおける、ステップＳ４２０での同時視聴可能番組情報と自蓄積番組情報である。
【図２８】ステップＳ３０２のフローチャートにおける、ステップＳ４３０での同時視聴可能番組情報と自蓄積番組情報である。
【図２９】図２９（Ａ）は、蓄積番組情報に登録される一番組分のデータ構造例であり、図２９（Ｂ）は、録画予定の場合の状態のデータ構造例であり、図２９（Ｃ）は、録画済の場合の状態のデータ構造例であり、図２９（Ｄ）は、同時視聴のための録画予定の場合の状態のデータ構造例であり、図２９（Ｅ）は、同時視聴のための予約で録画済の場合の状態のデータ構造例であり、図２９（Ｆ）は、同時視聴により再生後の状態のデータ構造例である。
【図３０】本発明の第２実施例の同時視聴可能番組表の表示例である。
【図３１】蓄積番組表の表示例である。
【図３２】同時視聴が予定された蓄積番組を再生する場合のダイアログ表示例である。
【図３３】番組情報検出装置が同時視聴可能番組の検出を行う場合の同時視聴動作のフローである。
【図３４】従来例の概略構成図である。
【図３５】図３５（Ａ）は、従来例の、テレビ受信機８００が同時視聴可能なテレビ番組のスケジュールであり、図３５（Ｂ）は、従来例の、テレビ受信機８２０が同時視聴可能なテレビ番組のスケジュールである。
【符号の説明】
【０１１２】
１００：デジタルテレビ受信機
１０１：アンテナ
１０２：選局部
１０３：復調部
１０４：分離部
１０５：映像音声処理部
１０６：番組情報抽出部
１０７：画面合成部
１０８：スピーカ
１０９：表示器
１１０：制御部
１１１：グラフィック生成部
１１２：メモリ
１１３：リモコン受信部
１１４：映像音声符号化部
１１５：多重分離部
１１６：ネットワークインターフェース（ＮＩＦ）
１１７：リモコン送信器
１１８：蓄積部
１２０：ネットワーク
１３０：テレビ受信機
１３１：アンテナ
３００：デジタルテレビ受信機
３１０：制御部
３１２：メモリ
３３０：デジタルテレビ受信機
３４０：番組情報提供サービスサイト
５００：デジタルテレビ受信機
５３０：デジタルテレビ受信機
５４０：同時視聴可能番組検出サーバー
８００：テレビ受信機
８０１：アンテナ
８０２：表示器
８０３：テレビ放送番組表示エリア
８０４：カメラ
８１０：ネットワーク
８２０：テレビ受信機
８２１：アンテナ
８２２：表示器
８２３：テレビ放送番組表示エリア
８２４：カメラ
【図１】
2005204285.tif 000003
【図２】
2005204285.tif 000004
【図３】
2005204285.tif 000005
【図４】
2005204285.tif 000006
【図５】
2005204285.tif 000007
【図６】
2005204285.tif 000008
【図７】
2005204285.tif 000009
【図８】
2005204285.tif 000010
【図９】
2005204285.tif 000011
【図１０】
2005204285.tif 000012
【図１１】
2005204285.tif 000013
【図１２】
2005204285.tif 000014
【図１３】
2005204285.tif 000015
【図１４】
2005204285.tif 000016
【図１５】
2005204285.tif 000017
【図１６】
2005204285.tif 000018
【図１７】
2005204285.tif 000019
【図１８】
2005204285.tif 000020
【図１９】
2005204285.tif 000021
【図２０】
2005204285.tif 000022
【図２１】
2005204285.tif 000023
【図２２】
2005204285.tif 000024
【図２３】
2005204285.tif 000025
【図２４】
2005204285.tif 000026
【図２５】
2005204285.tif 000027
【図２６】
2005204285.tif 000028
【図２７】
2005204285.tif 000029
【図２８】
2005204285.tif 000030
【図２９】
2005204285.tif 000031
【図３０】
2005204285.tif 000032
【図３１】
2005204285.tif 000033
【図３２】
2005204285.tif 000034
【図３３】
2005204285.tif 000035
【図３４】
2005204285.tif 000036
【図３５】
2005204285.tif 000037